(57)【要約】【課題】安定した、クリーンな燃焼を維持しながら高い煙道ガス再循環率を許容し、かつ煙道ガス再循環運転のためのフレキシブルな運転方法を提供する。【解決手段】ガスタービン６と、煙道ガス再循環システムを備えた熱回収蒸気発生器（ＨＲＳＧ）とを有するコンバインドサイクル発電プラント（ＣＣＰＰ）を運転する方法において、煙道ガス再循環システムによってガスタービン６の圧縮機入口空気３へ再循環させられる煙道ガスの煙道ガス再循環率（ｒFRG）を、燃焼圧力及び／又は高温ガス温度（Ｔhot）に関連して制御する。【選択図】図２
2011247264.tif 000002
【特許請求の範囲】
【請求項１】
ガスタービン（６）と、煙道ガス再循環システムを備えた熱回収蒸気発生器（ＨＲＳＧ）とを有するコンバインドサイクル発電プラント（ＣＣＰＰ）を運転する方法において、煙道ガス再循環システムによってガスタービン（６）の圧縮機入口空気（３）へ再循環させられる煙道ガスの煙道ガス再循環率（ｒFRG）を、燃焼圧力及び／又は高温ガス温度（Ｔhot）に関連して制御することを特徴とする、コンバインドサイクル発電プラント（ＣＣＰＰ）を運転する方法。
【請求項２】
より高い煙道ガス再循環率（ｒFRG）を許容するために、酸素又は酸素富化空気をガスタービン（６）のガスタービン圧縮機（１）の圧縮機入口ガス（３）及び／又は燃焼室（４）に混合する、請求項１記載の方法。
【請求項３】
圧縮機入口ガス（３）における目標酸素濃度を、ガスタービン（６）の燃焼圧力に関連して与え、入口空気における酸素濃度を、煙道ガス再循環率（ｒFRG）の変化及び／又は酸素又は酸素富化空気の混合によって制御する、請求項１又は２記載の方法。
【請求項４】
煙道ガス再循環率（ｒFRG）及び／又は酸素又は酸素富化空気の混合を、測定されたＣＯ及び／又は未燃炭化水素排出量に関連して調節する、請求項１から３までのいずれか１項記載の方法。
【請求項５】
煙道ガス再循環率（ｒFRG）及び／又は酸素又は酸素富化空気の混合を、測定された燃焼器脈動に関連して調節する、請求項１、２又は４記載の方法。
【請求項６】
ＣＯ2捕捉システム（１８）を通る所要の最小流量を保証するために、煙道ガス再循環率（ｒFRG）を最小値よりも高く維持する、請求項１から６までのいずれか１項記載の方法。
【請求項７】
再冷却温度（Ｔrecool）を、燃焼圧力及び／又は圧縮機出口温度（Ｔk2）に関連して制御する、請求項１から６までのいずれか１項記載の方法。
【請求項８】
再冷却温度（Ｔrecool）を、燃焼圧力及び／又は圧縮機出口温度（Ｔk2）及び再循環率に関連して制御する、請求項１から７までのいずれか１項記載の方法。
【請求項９】
ガスタービン（６）の目標圧縮機入口温度を、相対負荷に関連して与え、圧縮機入口温度を、冷却温度（Ｔrecool）を調節することによって制御する、請求項１から８までのいずれか１項記載の方法。
【請求項１０】
煙道ガス再循環率（ｒFRG）を、再循環のための変速煙道ガスブロワ（１１）を用いて及び／又は煙突（３２）への変速煙道ガスブロワ（１０）を用いて、制御する、請求項１から９までのいずれか１項記載の方法。
【請求項１１】
請求項１から１０までのいずれか１項記載の運転のために設計された発電プラント（１）において、ガスタービン（６）と、熱回収蒸気発生器（９）と、蒸気タービン（１３）と、再循環煙道ガス再冷却器（２７）を備えた煙道ガス再循環ラインと、少なくとも１つの、圧縮機出口圧力及び／又は圧縮機出口温度測定装置と、再循環される煙道ガスと周囲空気との混合箇所とガスタービン（６）の圧縮機（１）との間に設けられた少なくとも１つの酸素及び／又はＣＯ2測定装置（３６）、及び／又はガスタービン（６）の下流に設けられた少なくとも１つの酸素及び／又はＣＯ2測定装置（３７，３８）及び／又は少なくとも１つのＣＯ及び／又は未燃炭化水素測定装置とが設けられていることを特徴とする、発電プラント（１）。
【請求項１２】
２６よりも大きい設計圧縮機圧力比を備えるガスタービンが設けられている、請求項１１記載の発電プラント（１）。
【請求項１３】
１５ｂａｒａよりも大きい第２の燃焼室（３４）の設計圧力を備えた、順次燃焼ガスタービン（６）が設けられている、請求項１２記載の発電プラント（１）。
【請求項１４】
再循環のための変速煙道ガスブロワ（１１）及び／又はＣＯ2捕捉システム（１８）が設けられており、再循環率の制御のための、ＣＯ2捕捉システム（１８）に送られる煙道ガスのためのＣＯ2捕捉システムへの変速変動ガスブロワ（１０）が設けられている、請求項１１から１３までのいずれか１項記載の発電プラント（１）。
【請求項１５】
圧縮機（３）の圧縮機入口ガス（３）及び／又は燃焼器（４，３４）に酸素又は酸素富化空気を混合するための、空気分離ユニット又はメンブレンベースの酸素富化ユニットが設けられている、請求項１１から１４までのいずれか１項記載の発電プラント（１）。
【発明の詳細な説明】
【技術分野】
【０００１】
本発明は、煙道ガス再循環を備えるコンバインドサイクル発電プラントを運転する方法及びこの方な方法を実施するためのプラントに関する。
【背景技術】
【０００２】
近年、温室効果ガスの発生が温暖化につながり、温室効果ガス発生のさらなる増大は地球温暖化を加速させることが明らかになっている。ＣＯ2（二酸化炭素）は主たる温室効果ガスとして認められ、ＮＯｘは、対流圏にオゾンを発生することによって間接的な温室効果ガスとして温室効果に著しく寄与すると考えられている。従って、ＣＣＳ（炭素捕捉及び貯蔵）と、ＮＯｘ排出の低減とは、地球温暖化を低減しかつ制御するための潜在的な主要な手段であると考えられている。
【０００３】
ＮＯｘ排出の低減は、煙道ガスの触媒浄化によって、又は、好適には燃焼中のＮＯｘ発生の低減によって行われる。
【０００４】
発電プラント効率を高めるために、より高い高温ガス温度のための継続的な努力がなされてきた。しかしながら、燃焼温度が高くなると、ＮＯｘ排出も増大する。この効果に対抗するために、煙道ガス再循環が提案されている。
【０００５】
ＣＣＳは、ＣＯ2捕捉、圧縮、搬送及び貯蔵のプロセスとして定義される。捕捉は、ＣＯ2が、炭素ベースの燃料の燃焼後に煙道ガスから除去されるプロセス、又は燃焼前の炭素の除去及び処理として定義される。煙道ガス又は煙道ガス流からＣＯ2を除去するための、あらゆる吸収剤、吸着剤又はその他の手段の再生は、捕捉プロセスの一部であると考えられている。
【０００６】
バックエンドＣＯ2捕捉又はポスト燃焼捕捉は、ＣＣＰＰ（コンバインドサイクル発電プラント）を含む化石燃料発電プラントのための商業的に期待される技術である。ポスト燃焼捕捉において、ＣＯ2は煙道ガスから除去される。残りの煙道ガスは大気中へ放出され、ＣＯ2は搬送及び貯蔵のために圧縮される。吸収、吸着、膜分離、及び低温分離等の、煙道ガスからＣＯ2を除去するために知られている複数の技術がある。ポスト燃焼捕捉を備える発電プラントは、本発明の主体である。
【０００７】
ＣＯ2捕捉のための全ての公知の技術は、比較的大きな量のエネルギを必要とする。慣用のＣＣＰＰの煙道ガスにおけるわずか約４％の比較的低いＣＯ2濃度により、ＣＯ2捕捉システム（ＣＯ2捕捉プラント又はＣＯ2捕捉機器とも呼ばれる）は、比較的より高いＣＯ2濃度を有する石炭だきプラント等の他のタイプの化石発電プラントの場合よりも、捕捉されたＣＯ2のｋｇ当たりでコストが高くエネルギ消費も多い。
【０００８】
ＣＣＰＰ煙道ガスにおけるＣＯ2濃度は、燃料組成、ガスタービンの形式及び負荷に依存し、実質的にガスタービンの運転条件に依存して変化する。ＣＯ2濃度のこの変化は、ＣＯ2捕捉システムの性能、効率及び操作性にとって不利である恐れがある。
【０００９】
ＣＣＰＰの煙道ガスにおけるＣＯ2濃度を高めるために、２つの主な概念が知られている。１つは、ガスの再循環であり、これは例えばO.Bolland及びS.Saetherによって、"NEW CONCEPTS FOR NATURAL GAS FIRED POWER PLANTS WHICH SIMPLIFY THE RECOVERY OF CARBON DIOXIDE"(Energy Convers. Mgmt Vol.33, No.5-8, pp467-475,1992)に記載されている。もう１つは、プラントの連続配列であり、この場合、第１のＣＣＰＰの煙道ガスは冷却され、第２のＣＣＰＰのための入口ガスとして使用され、第２のＣＣＰＰの煙道ガスにおける増大したＣＯ2を備えた煙道ガスを得る。このような配列は、例えば米国特許出願公開第２００８／００６０３４６号明細書に記載されている。これらの方法は、周囲へ放出される煙道ガスの総量を低減し、ＣＯ2濃度を増大し、これにより、吸収器の所要の流れ容量と、捕捉システムの電力消費と、捕捉システムのための支出とを低減し、ＣＯ2システムの効率を高める。しかしながら、煙道ガス再循環は、ガスタービンの入口ガスにおける酸素濃度を低減し、燃焼に影響する。ＮＯｘ排出に対する好ましい影響の他に、低減された酸素濃度は、不完全な不安定の燃焼につながり、極めて望ましくない高いＣＯ排出を生じる恐れがある。
【先行技術文献】
【特許文献】
【００１０】
【特許文献１】米国特許出願公開第２００８／００６０３４６号明細書
【非特許文献】
【００１１】
【非特許文献１】O.Bolland,S.Saether,"NEW CONCEPTS FOR NATURAL GAS FIRED POWER PLANTS WHICH SIMPLIFY THE RECOVERY OF CARBON DIOXIDE"(Energy Convers. Mgmt Vol.33, No.5-8, pp467-475,1992)
【発明の概要】
【発明が解決しようとする課題】
【００１２】
本発明の主な課題は、煙道ガス再循環を備えるガスタービンと、１つの熱回収蒸気発生器（ＨＲＳＧ）と、１つの蒸気タービンとが設けられたコンバインドサイクル発電プラント（ＣＣＰＰ）のための低ＣＯ排出及び低ＮＯｘ排出運転方法、及びこの方法に従って運転するように設計されたプラントを提供することである。
【００１３】
１つの課題は、安定した、クリーンな燃焼を維持しながら高い煙道ガス再循環率を許容し、かつ煙道ガス再循環運転のためのフレキシブルな運転方法を提供することである。
【課題を解決するための手段】
【００１４】
本発明の本質は、ＣＯのバーンアウト、すなわちＣＯ2を形成するための酸素とのＣＯの反応は、高い燃焼圧力によって促進されるという発見を利用することである。この効果を利用するために、煙道ガス再循環率が燃焼圧力に関連しているような運転方法が提案される。煙道ガス再循環率ｒFRGは、ガスタービンの煙道ガス質量流量の合計に対する、圧縮機入口へ再循環される、ガスタービンからの煙道ガス質量流量の比として定義される。煙道ガス再循環のＮＯｘ低減効果と組み合わせて、これは、低いＮＯｘ及び低いＣＯ排出につながる運転方法を可能にする。
【００１５】
ＣＯ排出に影響する別の要因は、燃焼温度又は高温ガス温度である。より改良されたアプローチでは、再循環率は、燃焼圧力及び高温ガス温度に関連して与えられる。
【００１６】
例えば適切な冷却空気圧力として、燃焼圧力に比例した圧縮機出口圧力又は別の圧力を、燃焼圧力に代わりに使用することができる。通常、測定するのが容易であるため、圧縮機出口圧力が使用される。さらに、圧縮機出口温度は、圧力比に比例しており、従って使用することもできる。圧縮機出口温度を使用する場合、通常、周囲温度に応じて修正される。
【００１７】
１つの実施の形態において、燃焼圧力及び／又は高温ガス温度に関連した、許容可能な煙道ガス再循環率を提供する制御範囲が提案される。煙道ガス再循環率のための目標値は、燃焼圧力及び／又は高温ガス温度に関連して計算される。実際の煙道ガス再循環率は、精密制御によって修正され、この精密制御は、ＣＯ排出量に応じて煙道ガス再循環率を調節する。ＣＯ排出量は、この制御方法のためにオンラインで測定される。
【００１８】
１つの実施の形態において、煙道ガス再循環率を調節するために、二点制御が使用される。ＣＯ排出量が第１のしきい値を超えると、再循環率が減じられる。ＣＯ2排出量が第２のしきい値よりも低下すると、再循環率は増大される。しきい値の代わりに、再循環率の所要の修正を計算するために使用される、再循環率の修正関数を使用することもできる。修正関数は、燃焼圧力に基づき計算された目標再循環率と、ＣＯ排出量を所望のレベルにもたらすために必要とされる実際の再循環率とのオフセットを提供する。ＣＯ排出量と目標ＣＯ排出値との差に比例するオフセットを提供する単純な比例制御を、修正のために使用することができる。別の実施の形態において、しきい値又は修正関数は、ＣＣＰＰの相対負荷にも依存している。
【００１９】
選択肢として、煙道ガスの測定された未燃炭化水素排出量に関連する再循環率が、提案される。ＣＯ排出量に関連する制御と同様に、二点制御を使用することができる。択一的に、やはりＣＯ制御と同様に、未燃炭化水素排出量に応じた、再循環率の修正関数を使用することもできる。修正関数は、燃焼圧力に基づき計算された目標再循環率と、未燃炭化水素排出量を所望のレベルにするために必要とされる再循環率とのオフセットを提供する。通常、未燃炭化水素排出力と目標の未燃炭化水素排出値との差に比例するオフセットを与える単純な比例制御を、修正のために使用することができる。別の実施の形態において、しきい値又は修正関数は、ＣＣＰＰの相対負荷にも依存している。
【００２０】
さらに、圧縮機入口ガスに残っている実際のＯ2濃度は、燃焼プロセスに対する著しい影響を有しており、煙道ガス再循環率を調節するために使用することができる。入口空気におけるＯ2濃度を制御パラメータとして使用する代わりに、燃焼器入口における煙道ガスＯ2濃度の評価を許容する、別のガス流におけるＯ2及び／又はＣＯ2の使用が可能である。例えば、タービンの煙道ガスにおけるＣＯ2濃度を使用することができる。さらに、再循環される煙道ガスにおける残留酸素濃度又は冷却空気流における酸素濃度を使用することができる。これらの濃度の組合せの使用も可能である。
【００２１】
これらのパラメータのための最適な目標値は、特定のプラント設計に依存しており、周囲条件及びプラント負荷に関連している。全体効率に対するそれらの影響は、プラントの運転条件に依存する。
【００２２】
所要のＯ2濃度は燃焼圧力及び温度に依存する。従って、所要のＯ2濃度は、燃焼圧力及び／又は高温ガス温度に関連して計算することもできる。この所要のＯ2濃度に基づき、煙道ガス再循環率は、ガスタービンの入口流体が所要のＯ2濃度を有するように制御することができる。
【００２３】
最大再循環率は、しばしば、安定した完全燃焼のために要求される酸素濃度によって制限される。ここでいう安定した完全燃焼は、ＣＯ及び未燃炭化水素（ＵＨＣ）の排出量が、ｐｐｍのオーダ又は一桁のｐｐｍである、ＣＯ及び未燃炭化水素排出量のために設定された所要のレベルよりも低く、燃焼脈動が通常設計値の範囲であることを意味する。排出レベルは、通常、保証値によって規定されている。脈動のための設計値は、ガスタービン、運転箇所、及び燃焼器設計、並びに脈動周波数に依存する。設計値は、燃焼器圧力の１０％よりも十分に低くなっているべきである。通常、設計値は、燃焼器圧力の１又は２％よりも低い。１つの実施の形態において、再循環率は脈動に応じて調節又は精密調整される。例えば、再循環率のための目標値は、圧縮機出口圧力又は圧縮機圧力比に基づいて計算される。目標値は、高い燃焼脈動の場合には減じられ、極めて低い燃焼脈動においては増大させられる。これらの調節は、通常、圧力依存目標値の周辺の範囲内でのみ許容及び実行される。
【００２４】
運転柔軟性を高め、かつより高い再循環率が、ベース負荷及び部分負荷における煙道ガスにおけるＣＯ2濃度をさらに増大させることができるために、別の実施の形態において、圧縮機入口ガスの酸素富化が提案される。このために、酸素又は酸素富化空気がガスタービンの圧縮機入口ガスに混合される。１つの実施の形態において、酸素の混合は、圧縮機出口圧力に反比例する。
【００２５】
第１の近似において、捕捉システムの比エネルギ消費は、煙道ガスのＣＯ2濃度に比例する。これに関して、捕捉システム比エネルギ消費は、煙道ガスからＣＯ2の１つの質量単位を除去するために必要とされるエネルギとして定義される。煙道ガスにおけるＣＯ2濃度は再循環率に比例するので、最適化目標は、高い再循環率である。
【００２６】
より高い再循環率は、ＣＯ2濃度を高めるだけでなく、ＣＯ2捕捉システムを硫化する煙道ガス質量及び体積流量の減少にもつながる。より低い流量は、システムの圧力降下をも低減し、このことは、全体の性能にとって有利であるか又はより小さな、よりコストの低い機器の使用を許容する。設計条件下でのベース負荷において、煙道ガス再循環率は最大化される。煙道ガス再循環率は、ガスタービンの運転のために必要とされる最大酸素濃度によって制限される。典型的な再循環率は、ベース負荷運転の場合に３０％〜５０％のオーダである。
【００２７】
ガスタービンの部分負荷運転において、慣用のガスタービン煙道ガスにおけるＣＯ2濃度は、ベース負荷運転におけるよりも低く、燃焼のための酸素消費が増大する。
【００２８】
ＣＯ2生成の差を考慮するために、燃焼圧力に関連する目標ＣＯ2又は目標残留酸素含有量が、別の実施の形態において使用される。
【００２９】
部分負荷において生じる恐れがある火炎消火又は部分消火は、冷却空気質量流量及び冷却空気温度にも依存する。ほとんどのガスタービン設計の場合、冷却空気温度及び質量流量は、圧縮機入口条件と、可変入口案内羽根の位置とに関連している。従って、所要の最大酸素濃度に対する、入口条件及び／又は可変入口案内羽根の位置の影響を考慮する、付加的な関数の使用が提案される。再循環率はこれに従って修正され、例えば再循環率は、火炎に対する冷却空気の消火効果が高い場合には低い冷却空気温度のために減じられ、冷却空気の消火効果がより低い場合には高い冷却空気温度のために増大される。
【００３０】
上述の制御方法の組合せが考えられる。特に、燃焼圧力に依存した再循環率、又は燃焼圧力に依存した、目標入口酸素濃度の関数は、ＣＯ排出量、及び／又は未燃炭化水素排出量、及び／又は脈動等の燃焼パラメータの測定に基づく修正と組み合わせることができる。
【００３１】
煙道ガス再循環率は、最適なプラント熱力学及び経済的性能を目標として、酸素濃度が最小所要レベルを満たすように保たれた、酸素又は酸素富化ガスの混合と組み合わせて、最適値にまで増大させることができる。酸素又は酸素富化空気の混合は、ＡＳＵ（空気分離ユニット）のトレードオフと、減じられた排出量による利益とを考慮して正当化されるまで、適用することができる。
【００３２】
１つの実施の形態において、圧縮機入口ガスに対する、酸素又は酸素富化空気の混合は、入口における酸素濃度を制御するために行われる。圧縮機入口における目標酸素濃度は、例えば、燃焼圧力の関数として与えられる。
【００３３】
別の実施の形態において、圧縮機入口ガスに対する、酸素又は酸素富化空気の混合は、ＣＯ又は未燃炭化水素に関連して行われる。ＣＯ及び／又は未燃炭化水素排出量が第１のしきい値よりも増大すると、酸素又は酸素富化空気の混合が増大される。ＣＯ及び／又は未燃炭化水素排出量第２のしきい値よりも低いならば、混合は低減される。しきい値の代わりに、ＣＯ及び／又は未燃炭化水素排出量に依存した混合の修正関数を使用することもできる。別の実施の形態において、しきい値又は修正値は、ＣＣＰＰの相対負荷にも依存している。
【００３４】
燃焼が不完全であると通常増大する火炎又は燃焼器脈動は、測定することができ、同様に、酸素又は酸素富化空気の混合のための制御パラメータとして使用することができる。１つの実施の形態において、二点制御は、煙道ガス再循環率を調節するために使用される。脈動レベルが第１のしきい値よりも増大すると、混合が増大される。脈動レベルが第２のしきい値よりも低いと、混合は低減される。燃焼器に応じて、特定の脈動周波数範囲を、脈動に依存した混合制御のために使用することができる。しきい値の代わりに、脈動レベルに依存した再循環率の修正関数を使用することもできる。通常、単純な比例制御を修正のために使用することができ、この比例制御は、測定された脈動と目標脈動値との差に比例した、煙道ガス再循環率のオフセットを与える。
【００３５】
制御パラメータとして燃焼器脈動を使用する制御方法のために、少なくとも１つの対応する脈動測定装置が燃焼器に接続されなければならない。
【００３６】
ＣＯ又は未燃炭化水素排出量を制御パラメータとして使用する制御方法のために、少なくとも１つの対応する測定装置がガスタービンの下流に装着されなければならない。
【００３７】
別の実施の形態において、再循環率は、酸素又は酸素富化空気の混合の制御と組み合われる。これらの制御方法を組み合わせるための様々な異なる可能性が考えられる。
【００３８】
例えば、再循環率は、ＮＯｘを最小限に抑制するために及び／又はＣＯ2捕捉システムにおける流れを最適化するために圧力に関連して与えることができ、混合を、安定した完全燃焼を制御するために使用することができる。第２の例において、酸素又は酸素富化空気の混合は、ＡＳＵの寸法により一定レベルに保たれ、再循環率は安定した完全燃焼を制御するために使用される。
【００３９】
さらに、煙道ガス流量は、負荷が低減されるにつれて小さくなる。ガスタービンのより小さな煙道ガス質量流量と組み合わされた再循環率の増大は、発電プラントから出る煙道ガス質量流量の著しい低下につながることができる。従って、ＣＯ2捕捉ユニットへ送られる煙道ガス流は、ＣＯ2捕捉との運転のために減じられる。しかしながら、設計に応じて、最適な質量流量又は流速がＣＯ2捕捉システムにおいて維持されるべきである。この最適な流量は再循環率を制限することができる。従って、ＣＯ2捕捉システムの設計に応じて、ＣＯ2捕捉システムを通る最適な流量を維持するために、低い負荷においては再循環率の減少が必要とされることができる。ＣＯ2捕捉ユニットに依存して、流量に対する顕著な最大効率なしに、捕捉ユニットの効率はほとんど流量から独立している。しかしながら、流量は、通常、最小流量によっても依然として制限され、この最小流量よりも低いと、不安定な流れが生じる恐れがあり、このことは、ＣＯ2捕捉システムにおける振動につながる恐れがある。この場合、最小流量を保証するために、制御は単純化される。
【００４０】
ベース負荷運転の間、プラント電力は、ガスタービン入口温度を増大させながら、低下する。従って、目標再冷却温度は、通常、できるだけ低い。目標再冷却温度は、通常、再冷却器の能力によって制限される。大きな低温ヒートシンク、例えば低い周囲温度及び／又は低温冷却水、が利用可能である場合にのみ、又はプラントの凍結危険性又はその他の運転パラメータが運転を制限する場合、再冷却温度は、より高い目標温度に制御される。
【００４１】
部分負荷において、合計質量流量が低減された場合、合計再循環質量流量も重畳は減少し、再冷却器は、通常、ベース負荷におけるよりも低い温度に冷却する能力を有している。しかしながら、ほとんどのプラント設計の場合、ガスタービンの圧縮機入口温度を増大することは、ある負荷設定点における部分負荷効率を増大することができる。
【００４２】
通常、ＣＣＰＰの効率は負荷に比例する。一定の絶対負荷で運転する場合、相対負荷は、ガスタービンの入口温度が増大するにつれて、増大する。この増大による効率増大は、入口温度の増大によって生ぜしめられる効率損失よりも高い。
【００４３】
再冷却器の出口温度は、再循環された煙道ガスを冷却し、従って、圧縮機入口温度がガスタービンの運転限界の範囲にある限り、再冷却温度を、より高いガスタービン圧縮機入口温度を実現するために、部分負荷において高めることができる。従って、負荷及び再循環率に依存する再冷却温度が提案される。再循環率に応じて、再循環温度は、再冷却された煙道ガスとの周囲空気の混合の後、現在の電力出力で最善の効率につながる入口温度が得られるように、制御される。
【００４４】
ＣＯ2捕捉を備えたプラントの場合、冷却後のＣＯ2捕捉プラントへの煙道ガス温度も、より低温の限界を考慮して、ＣＯ2捕捉システムのために最適化される。
【００４５】
ＣＯ2捕捉システム自体は、２つ以上の捕捉トレインから成ることができる。部分負荷運転を最適化するために、少なくとも１つの捕捉トレインをシャットダウンすることが有利であることができる。その結果、最適な再循環率は、作動中の捕捉トレインに関連することができる。ＣＣＰＰ運転との捕捉システム運転の一体化は、全体のプラント効率のために有利である。
【００４６】
第１の制御ステップにおいて、作動中の捕捉トレインの数はプラント負荷に合わせて調節される。第２のステップにおいて、再循環率は、特定の負荷におけるプラント効率を最適化するために、作動中の捕捉トレインの特定の数に関連して、調節される。このために、２つの選択的な最適化方式が提案される。再循環率は、捕捉システムの作動中のトレインのための最適なレベルに煙道ガスのＣＯ2濃度を制御するために使用されるか、又は最適な速度に捕捉トレインにおける流速を保つために使用される。
【００４７】
方法の他に、この方法に従って運転するためのプラントは発明の一部である。最適化された運転のために設計されたプラントは、少なくとも１つのガスタービンと、煙道ガスの第１の部分流を圧縮機入口ガス流に向かって送る煙道ガスダクトを備えた煙道ガス再循環システムと、再循環率を制御するための少なくとも１つの制御機構と、再循環煙道ガスを冷却するための温度制御を備えた再循環機と、少なくとも１つの燃焼圧力測定部と、少なくとも１つのＣＯ2及び／又は酸素濃度測定装置とを有している。燃焼圧力測定装置の代わりに、圧縮機出口圧力測定装置又は圧縮機出口温度装置を使用することができる。
【００４８】
通常、再循環システムは、煙道ガス再循環ライン又はダクト、再循環率を制御するための制御機構、及び再循環煙道ガス冷却器を有している。再循環のために、煙道ガス流は、ＨＲＳＧの下流において少なくとも２つの部分流に分割される。第１の部分流は、煙道ガス再循環ラインを介してガスタービンの入口へ戻され、第２の部分流は、環境への解放のために煙突へ送られる。ＣＣＳの場合、第２の部分流は、ＣＯ2捕捉システムを介して煙突へ送られる。ＣＣＳの場合、ＣＯ2捕捉システムの周囲のバイパスが、運転の柔軟性を高めるために設けられていてよい。これにより、再循環率と、ＣＯ2捕捉ユニットへの煙道ガス流とのあらゆる組合せを選択肢、煙道ガス流を煙突へ送ることができる。
【００４９】
再循環率を制御するために、排出流量及び／又は再循環流量を、少なくとも１つの制御機構によって制御することができる。これは、例えば、スプリッタの下流における煙道ガスラインのうちの一方又は両方における、制御機構と組み合わされた制御可能なダンパ又は固定されたスプリッタであることができる。
【００５０】
上述のように、再循環させられた第１の部分流は、通常、ガスタービンの圧縮機に導入するために周囲空気と混合される前に、再冷却器によってさらに冷却されなければならない。１つの実施の形態において、再循環率を制御するための制御機構、例えばフラップ又は弁は、この制御機構における熱負荷を減じるためにこの再冷却器の下流に装着されている。
【００５１】
別の実施の形態において、ブロワが、再循環ライン及び／又は排気ガスラインに装着されている。ブロワは、許容可能な圧力降下が増大させられるので、機器寸法を減じるために有利であることができる。実用的な機器寸法は、捕捉システム及び再循環ラインに亘る合理的な圧力降下によってのみ実現することができる。ガスタービン及びＨＲＳＧ設計による制限を克服することができる。
【００５２】
ブロワは、通常、ブロワの消費電力と、ブロワが耐えなければならない熱負荷とを低減する冷却器の下流に配置されている。さらに、ブロワは、安定した煙道ガス温度の下で作動し、ブロワが冷却器の上流に配置されている設計と比較して、より小さな体積が流れる。
【００５３】
さらに、ブロワの電力消費を最小限にするために、変速制御が提案される。従って、ブロワは、再循環率を制御するために使用することができる。本来圧力降下を生じる、可変ダンパ、フラップ又は制御弁を回避することができる。従って、システムの合計圧力降下を、変速ブロワの使用によって低減することができる。択一的に、制御可能なブレード又は案内羽根を備えたブロワも考えられる。煙道ガス及び再循環システムにおける設計及び圧力に応じて、ブロワの代わりに、ブースタを使用することができる。
【００５４】
圧縮機入口ガス又は燃焼器入口ガスの連続的な酸素富化を許容するために、プラントの実施の形態は、所要の酸素を発生するための空気分離ユニット又はメンブレンベースの酸素富化ユニットを有している。
【００５５】
上述のガスタービンは、例えば欧州特許第０６２０３６３号明細書又は欧州特許第０７１８４７０号明細書から公知の単一燃焼ガスタービン又は順次燃焼ガスタービンであることができる。ＣＯ排出に対する高い燃焼圧力の有利な効果を保証するために、順次燃焼ガスタービンは、第２の燃焼室における圧力が全負荷運転において１５ｂａｒａよりも高くなるように設計されているべきである。
【００５６】
発明、発明の性質及び発明の利点は、添付の図面を用いることにより以下により詳細に説明される。図面が参照される。
【図面の簡単な説明】
【００５７】
【図１】煙道ガス再循環及び変速ブロワを備えたＣＣＰＰを概略的に示している。
【図２】順次燃焼ガスタービン、煙道ガス再循環、及び変速ブロワを備えたＣＣＰＰを概略的に示している。
【図３】煙道ガス再循環を含むバックエンドＣＯ2吸収、及び変速ブロワを備えたＣＣＰＰを概略的に示している。
【図４】圧縮機出口圧力及び高温ガス温度に関連した煙道ガス再循環率の例を概略的に示している。
【図５】与えられた高温ガス温度のための煙道ガス再循環率のための許容可能な範囲を備えた圧縮機出口圧力に関連した目標煙道ガス再循環率の例を概略的に示している。
【図６】高温ガス温度と、与えられた圧縮機出口圧力のための煙道ガス再循環率調節のための許容可能な範囲とに関連した、目標煙道ガス再循環率の例を概略的に示している。
【発明を実施するための形態】
【００５８】
提案された方法の実施のための発電プラントは、慣用のＣＣＰＰと、煙道ガス再循環のための機器を有している。
【００５９】
煙道ガス再循環を備えた典型的な配列が、図２に示されている。第１の発電機２５を駆動するタービン６には、圧縮機入口ガス３と、燃料５とが供給される。圧縮機入口ガス３は、周囲空気２と、煙道ガス再循環ラインを介して再循環させられた煙道ガスとの混合物である。圧縮機入口ガス３は圧縮機１において圧縮される。圧縮されたガスは、燃焼器４における燃料５の燃焼のために使用され、加圧された高温ガスはタービン７において膨張する。その主な出力は電力と、高温の煙道ガス８とである。
【００６０】
ガスタービンの高温煙道ガス８はＨＲＳＧ９を通過し、ＨＲＳＧは、蒸気タービン１３のための生蒸気を発生する。蒸気タービン１３は、ガスタービン６及び第１の発電機２５とともに単一軸構成で配置されているか、又は第２の発電機２６を駆動するための多軸構成で配置されている。蒸気タービン１３から出た蒸気は凝縮器１４へ送られ、ＨＲＳＧへ戻される。蒸気サイクルは単純化されており、異なる蒸気圧力レベル、給水ポンプ等を省略して概略的に示されている。なぜならば、これらは本発明の主体ではないからである。
【００６１】
ＨＲＳＧからの煙道ガス１９の第１の部分流２１は、ガスタービン６の圧縮機１の入口へ再循環させられ、この入口において、第１の部分流２１は周囲空気２と混合される。第１の部分流２１は、周囲空気２と混合される前に再循環煙道ガス冷却機２７において冷却される。
【００６２】
ＨＲＳＧからの煙道ガス１９の第２の部分流２０は、ダンパ２９によって煙突３２へ送られる。煙道ガス流を高めるために、及び再循環率を制御するために、煙突３２への変速煙道ガスブロワ１０が、ダンパ２９と煙突３２との間に装備されている。さらに、再循環のための変速煙道ガスブロワ１１が、煙道ガスの再循環された第１の部分流２１を周囲空気２と混合する前に、再循環煙道ガス冷却機２７の下流に装備されている。
【００６３】
図２は、順次燃焼ガスタービンと、煙道ガス再循環と、変速ブロワとを備えたＣＣＰＰを概略的に示している。１つのタービン７を備えた単一燃焼室４の代わりに、順次燃焼ガスタービンは、燃焼器４を有しており、この燃焼器４の後に高圧タービン３３が続いている。高圧タービン３３から出た部分的に膨張させられたガスは、第２の燃焼室３４において再熱された後、低圧タービン３５においてさらに膨張させられる。
【００６４】
後燃焼捕捉及び煙道ガス再循環を備えた典型的な配列が、図３に示されている。図１に示されたＣＣＰＰに加え、図３のプラントはＣＯ2捕捉システムを有している。ガスタービンの高温の煙道ガス８はＨＲＳＧ９を通過し、このＨＲＳＧ９は蒸気タービン１３のための生蒸気３０を発生する。蒸気タービン１３は、ガスタービン６及び第１の発電機２５を備えた単一軸構成で配置されているか、又は第２の発電機２６を駆動するための多軸構成で配置されている。さらに、蒸気は、蒸気タービン１３から抽出され、蒸気ライン１５を介してＣＯ2捕捉システム１８へ供給される。蒸気は、低下させられた温度で蒸気サイクルへ戻されるか、又は凝縮物として戻しライン１７を介して蒸気サイクルへ再導入される。蒸気サイクルは単純化されており、異なる蒸気圧力レベル、給水ポンプ等を省略して概略的に示されている。なぜならば、これらは発明の主体でないからである。
【００６５】
ＨＲＳＧ１９からの煙道ガスの第１の部分流２１は、ガスタービン６の圧縮機１の入口へ再循環され、この入口において、第１の部分流２１は周囲空気２と混合される。第１の部分流２１は、周囲空気２と混合される前に、再循環煙道ガス冷却機２７において冷却される。
【００６６】
ＨＲＳＧ１９からの煙道ガスの第２の部分流２０は、ダンパ２９によってＣＯ2捕捉システム１８へ送られる。ＣＯ2捕捉システム１８の上流の煙道ガス冷却機２３はこの第２の部分流２０を冷却する。煙道ガス流を高めるために、及び再循環率を制御するために、ＣＯ2捕捉システム１０への変速煙道ガスブロワが、煙道ガス冷却機２３とＣＯ2捕捉システム１８との間に装備されている。再循環１１のための変速煙道ガスブロワは、煙道ガスの再循環された第１の部分流２１を周囲空気２と混合する前に、再循環煙道ガス冷却機２７の下流に装備されている。
【００６７】
ＣＯ2が除去された煙道ガス２２は、ＣＯ2捕捉システム１８から煙突３２を介して環境へ放出される。ＣＯ2捕捉システム１８が作動していない場合、煙道ガスは、煙道ガスバイパス２４を介して迂回させることができる。
【００６８】
通常運転中、捕捉されたＣＯ2はＣＯ2圧縮機において圧縮され、圧縮されたＣＯ2は貯蔵又はさらなる処理のために移送される。
【００６９】
異なるガス流の酸素濃度をより制御しやすくするために、酸素及び／又はＣＯ2濃度を測定するための測定装置が提案される。
【００７０】
再循環質量流量を制御し、再循環煙道ガス再冷却機２７の後の温度を制御し、周囲空気の温度と、圧縮機１の入口質量流量とを考慮することによって、圧縮機１の入口温度を制御することができる。
【００７１】
ベース負荷において、再冷却温度は、通常、再循環煙道ガス再冷却機２７の能力によって制限され、利用可能なヒートシンクに依存する。河川又は海からの冷却水を用いる冷却水冷却機の場合、水温が、可能な再冷却温度を支配する。空気冷却機の場合、最低再冷却温度は、通常、周囲温度より５〜１０℃高い温度である。再循環率に応じて、圧縮機入口温度の温度上昇は、より小さくなる。
【００７２】
特定の部分負荷電力出力がＣＣＰＰから要求される場合、タービン入口温度又は高温ガス温度が低下させられ、可変入口案内羽根が、運転コンセプトに従って、目標電力が達成されるまで閉鎖される。両者は、相対的な負荷低減に比例した、プラント効率の低減につながる。圧縮機入口温度を制御することによって、プラントのベース負荷電力を制御することができる。特に、圧縮機入口温度の上昇は、ベース負荷電力の減少につながる。その結果、上記の特定の電力出力は、ベース負荷において又は増大した相対電力において達せられる。増大した相対負荷での運転による効率増加が、増大した入口温度での運転による効率損失よりも大きい限り、圧縮機入口温度を高めることは、全体効率を高めることができる。プラント特定最適圧縮機入口温度を、全ての負荷設定点のために決定することができる。最適圧縮機入口温度と、周囲空気２の温度と、負荷特定ガスタービン再循環率ｒGTとに基づき、最適な再冷却温度Ｔrecoolを決定することができる。ベース負荷において、再冷却温度は、再冷却機の冷却能力によって制限される。より低い負荷では、再冷却温度Ｔrecoolを、周囲空気と再冷却された煙道ガスとの混合物が許容可能な最大圧縮機入口温度に達するまで、高めることができる。この例では、最大許容圧縮機入口温度は、固定値である。しかしながら、ガスタービン再循環率は負荷に応じて変化するので、一定の混合温度を得るために必要とされる再冷却温度Ｔrecoolも負荷に応じて変化する。
【００７３】
ガスタービン６の設計に応じて、許容可能な最大圧縮機入口温度は一定ではない。これは、例えば、圧縮機端部温度又は中間圧縮機からの冷却空気ブリード温度が制限的要因である場合である。その結果、再冷却温度Ｔrecoolのための異なる制限機能が得られる。
【００７４】
より精巧な実施の形態において、周囲圧力、湿度及び入口／出口の圧力降下の影響も、例えば、負荷特定最適圧縮機入口温度及び対応する最適再冷却温度を決定するために考慮することができる。
【００７５】
図４は、煙道ガス再循環率の例を、圧縮機出口圧力と高温ガス温度とに関連して概略的に示している。圧縮機出口圧力ｐk2は、設計条件下の全負荷における圧縮機出口圧力で標準化されており、高温ガス温度Ｔhotは、設計条件下の全負荷における高温ガス温度で標準化されており、煙道ガス再循環率ｒFRGは、設計条件下の全負荷における煙道ガス再循環率で標準化されている。全負荷において、標準化された圧縮機出口圧力ｐk2と、高温ガス温度Ｔk2と、煙道ガス再循環率ｒFRGとは、１に等しい。煙道ガス再循環率ｒFRGは、より低い圧縮機出口圧力ｐk2及びより低い高温ガス温度Ｔhotの場合には低下させられる。
【００７６】
順次燃焼を備えるガスタービン６の場合、煙道ガス再循環率は、第１の燃焼室４と第２の燃焼室３４との高温ガス温度の関数である。これは、ここには示されていない曲線の構成につながる。通常、第１の燃焼室の高温ガス温度Ｔhotは、５０％の相対負荷、例えば全負荷に関する運転負荷、までの広い負荷範囲に亘ってほぼ一定に保たれる。従って、この曲線の配列は、単純化することができ、煙道ガス再循環率ｒFRGを決定するために第２の燃焼室の高温ガス温度を使用することができる。
【００７７】
高温ガス温度は通常、タービンに進入する高温ガスの平均高温ガス温度として規定される。高温ガス温度の代わりに、タービンの冷却空気との高温ガスの理論的混合温度である、いわゆるＴＩＴタービン入口温度を使用することもできる。
【００７８】
図５は、目標煙道ガス再循環率ｒTの例を、圧縮機出口圧力ｐK2に関連して、与えられた高温ガス温度Ｔhotのための煙道ガス再循環率調節のための許容可能な範囲とともに、概略的に示している。圧縮機出口圧力ｐk2は、設計条件下での全負荷における圧縮機出口圧力で標準化されている。煙道ガス再循環率ｒFRGと、目標煙道ガス再循環率ｒTと、最小煙道ガス再循環率ｒminと、最大煙道ガス再循環率ｒmaxとは、設計条件下での全負荷における煙道ガス再循環率ｒFRGで標準化されている。この例において、目標煙道ガス再循環率は、圧縮機出口圧力ｐk2に関連して、開ループ制御において決定される。実際の煙道ガス再循環率ｒFRGは、個々の圧縮機出口圧力ｐk2に対して与えられた最大煙道ガス再循環範囲ｒminと最大煙道ガス再循環範囲ｒmaxとの間の許容可能範囲内で、閉ループ制御を用いて調節される。
【００７９】
煙道ガス再循環率ｒFRGの閉ループ調節のために、例えば煙道ガスにおけるＣＯ含有量又は燃焼器脈動が使用される。
【００８０】
図５に示された関数は、１つの高温ガス温度Ｔhotのために有効である。運転条件とガスタービンの設計とに応じて、高温ガス温度の影響を無視することができ、この単なる圧縮機出口圧力ｐk2の関数は、高温ガス温度Ｔhotを考慮することなく全ての運転条件の場合に再循環率ｒFRGを制御するために使用することができる。
【００８１】
図６は、目標煙道ガス再循環率ｒTの例を、与えられた圧縮機出口圧力ｐk2の場合の高温ガス温度Ｔhotの関数と、煙道ガス再循環率調節のための許容可能範囲とに関連して概略的に示している。
【００８２】
高温ガス温度Ｔhotは、設計条件下での全負荷における高温ガス温度Ｔhotで標準化されている。煙道ガス再循環率ｒFRGと、目標煙道ガス再循環率ｒTと、最小煙道ガス再循環率ｒminと、最大煙道ガス再循環率ｒmaxとは、設計条件下での全負荷における煙道ガス再循環率ｒFRGで標準化されている。この例では、目標煙道ガス再循環率は、高温ガス温度Ｔhotに関連して開ループ制御において決定されている。実際の煙道ガス再循環率ｒFRGは、個々の高温ガス温度Ｔhotの場合に、最小煙道ガス再循環範囲ｒminと最大煙道ガス再循環範囲ｒmaxとの間の許容可能範囲内で閉ループ制御を用いて調節される。
【００８３】
煙道ガス再循環率ｒFRGの閉ループ調節のための入力変数として、例えば、煙道ガスのＣＯ含有量又は燃焼器脈動が使用される。１つの実施の形態において、調節は、煙道ガスのＣＯ含有量及び／又は燃焼器脈動の、目標値の逸脱に比例する。
【００８４】
運転柔軟性をさらに高め、かつ部分負荷及びベース負荷における再循環率の制限を克服するために、別の実施の形態の場合にはガスタービン入口ガスの酸素富化が提案される。
【００８５】
幾つかの燃焼システムにおいては、燃焼の火炎安定性及び脈動挙動を改良するために、半径方向でのバーナの多段化が使用される。多段化は通常、局所的な高温ガス温度を増大させ、より高いＮＯｘを生じるので、制限される。しかしながら、提案された運転方法では、煙道ガス再循環がＮＯｘ排出量を低減するので、異なる運転範囲における多段化を許容する。この増大した運転範囲を利用するために、多段化比率が燃焼圧力及び／又は煙道ガス再循環率の関数であるような方法が提案される。多段化比率は、例えば、増大した燃料流量を備えたバーナ又はバーナのグループへの最大燃料流量を、バーナごとの平均燃料流量によって割ったものとして規定される。図５に示された、圧縮機出口圧力ｐk2に関連した煙道ガス再循環比と同様に、圧縮機出口圧力ｐk2に関連したバーナ多段化の制御が提案される。
【００８６】
燃焼の火炎安定性及び脈動挙動を改良するための別の手段として、拡散火炎を用いるパイロット化が知られている。パイロット化は、通常、局所的な高温ガス温度をも上昇させ、より多くのＮＯｘを生じるので、制限される。しかしながら、提案された運転方法では、煙道ガス再循環がＮＯｘ排出量を低減するので、異なる運転範囲におけるパイロット化を許容する。この増大した運転範囲を利用するために、パイロット燃料流が燃焼圧力及び／又は煙道ガス再循環の関数であるような方法が提案される。図５に圧縮機出口圧力ｐk2に関連して示された煙道ガス再循環比率と同様に、圧縮機出口圧力ｐk2に関連したパイロット燃料流の制御が提案される。
【００８７】
上記及び図面に記載された典型的な実施の形態は、当業者に、典型的な実施の形態とは異なりかつ発明の範囲に含まれる実施の形態を開示する。例えば、煙道ガス５の代わりに、液体燃料がガスタービンにおいて燃焼させられてもよい。
【００８８】
制御パラメータとしてＣＯ又は未燃炭化水素排出量を用いる制御方法を実現するために、ガスタービン６の下流にＣＯ又は未燃炭化水素排出量測定装置が装着されなければならない。ＣＯ又は未燃炭化水素排出量測定装置は、例えば、ガスタービン煙道ガスＣＯ2及び／又はＯ2測定装置３７の位置、又はＨＲＳＧ煙道ガスＣＯ2及び／又はＯ2測定装置に対応する測定装置３８の位置に、装着することができる。ＣＯ又は未燃炭化水素排出量測定装置は、組み合わされた測定装置であってもよい。
【符号の説明】
【００８９】
１  圧縮機
２  周囲空気
３  圧縮機入口ガス
４  燃焼器
５  ＧＴのための煙道ガス
６  ガスタービンＧＴ
７  タービン
８  ガスタービンからの高温煙道ガス
９  ＨＲＳＧ（熱回収蒸気発生器）
１０  （ＣＯ2捕捉システムへの）第２の部分流のための煙道ガスブロワ
１１  第１の部分流のための煙道ガスブロワ（煙道ガス再循環）
１２  バイパスフラップ又は弁
１３  蒸気タービン
１４  凝縮器
１５  ＣＯ2捕捉のための蒸気抽出部
１６  給水部
１７  凝縮物戻しライン
１８  ＣＯ2捕捉システム
１９  ＨＲＳＧからの煙道ガス
２０  第２の部分流（ＣＯ2捕捉システムへの煙道ガスライン）
２１  第１の部分流（煙道ガス再循環）
２２  ＣＯ2除去された煙道ガス
２３  （第２の部分流のための）煙道ガス冷却機
２４  煙突への煙道ガスバイパス
２５  第１の発電機
２６  第２の発電機
２７  （第１の部分流のための）再循環煙道ガス再冷却器
２８  圧縮機出口圧力又は出口温度測定装置
２９  煙道ガス分割装置
３０  生蒸気
３１  捕捉されたＣＯ2
３２  煙突
３３  高圧タービン
３４  第２の燃焼器
３５  低圧タービン
３６  入口空気ＣＯ2及び／又はＯ2測定装置
３７  ガスタービン煙道ガスＣＯ2及び／又はＯ2測定装置
３８  ＨＲＳＧ煙道ガスＣＯ2及び／又はＯ2測定装置
ＣＣＰＰ  コンバインドサイクル発電プラント
ｒGT  ガスタービン再循環率
ｒi  課された燃焼不均一性比
ｒT  目標再循環率
ｒmin  最小再循環率
ｒmax  最大再循環率
Ｔhot  高温ガス温度
【図１】
2011247264.tif 000003
【図２】
2011247264.tif 000004
【図３】
2011247264.tif 000005
【図４】
2011247264.tif 000006
【図５】
2011247264.tif 000007
【図６】
2011247264.tif 000008
【外国語明細書】
2011247264.tif 000009
2011247264.tif 000010
2011247264.tif 000011
2011247264.tif 000012
2011247264.tif 000013
2011247264.tif 000014
2011247264.tif 000015
2011247264.tif 000016
2011247264.tif 000017
2011247264.tif 000018
2011247264.tif 000019
2011247264.tif 000020
2011247264.tif 000021
2011247264.tif 000022
2011247264.tif 000023
2011247264.tif 000024
2011247264.tif 000025
2011247264.tif 000026
2011247264.tif 000027
2011247264.tif 000028
2011247264.tif 000029
2011247264.tif 000030
2011247264.tif 000031
2011247264.tif 000032
2011247264.tif 000033
2011247264.tif 000034
2011247264.tif 000035
2011247264.tif 000036
2011247264.tif 000037
2011247264.tif 000038